(57)【要約】【課題】表示装置に表示される図柄組み合わせゲームと共に遊技状態情報の視認性を低下させることなく、遊技者に遊技状態を把握させること。【解決手段】確率変動状態が付与されると、可変表示器２０には、現在の遊技状態が確率変動状態であることを報知する文字情報ＩＮａ（「確変中」）が表示される（図７（（ａ））。そして、可変表示器２０では、文字情報ＩＮａが表示状態と非表示状態を繰り返すように表示される（図７（ａ）→（ｂ）→（ｃ））。可変表示器２０では、文字情報ＩＮａが表示状態になると遊技状態を認識でき、非表示状態になると表示演出（図柄など）を視認できる。また、図柄の変動が開始するとき（図７（ｄ））及び図柄の変動が停止するときには、文字情報ＩＮａが非表示状態となる。【選択図】図７
2008012352.tif 000002
【特許請求の範囲】
【請求項１】
図柄を変動させて行う図柄組み合わせゲームを表示する表示装置と、遊技機全体を制御する主制御部と、前記主制御部が出力した各種の制御信号を入力し、前記制御信号に基づいて前記表示装置を制御する表示制御部と、を備え、前記主制御部は、遊技盤に配設した始動入賞口への入賞に基づき大当り判定用乱数の値を取得して大当り判定を行い、前記大当り判定で大当りを決定した場合には前記図柄組み合わせゲームの終了後に大当り状態を付与し、前記大当り状態の終了後には通常状態よりも遊技者に有利な有利遊技状態を付与し、前記表示制御部は、前記主制御部が出力する前記図柄組み合わせゲームの開始を指示するとともに前記図柄組み合わせゲームの変動時間を定めた演出パターンを指示する変動開始信号を入力することにより前記変動開始信号で指示された前記演出パターンに対応する表示内容で前記図柄組み合わせゲームを開始させ、前記主制御部が出力する前記図柄組み合わせゲームの終了を指示する変動停止信号を入力することにより前記図柄組み合わせゲームを終了させて大当りの組み合わせを停止させ、前記大当り状態の終了後は、前記主制御部が出力する前記有利遊技状態の開始を指示する遊技状態指定信号を入力することにより前記図柄組み合わせゲームが行われる遊技状態を示す遊技状態情報を前記表示装置に表示する表示制御を実行する遊技機において、
前記表示制御部は、前記表示制御において、１回の図柄組み合わせゲーム中に、前記遊技状態情報が予め定めた同一時間毎に表示状態及び非表示状態となる表示パターンを複数回繰り返すように制御するとともに、前記表示状態とする場合には前記遊技状態情報を前記図柄の前側に重ねて表示させ、
前記変動開始信号を入力することにより前記図柄組み合わせゲームにおいて図柄の変動が開始してから停止する迄の時間を計測し、前記図柄組み合わせゲームにおける図柄の変動が開始するとき及び計測した時間が前記演出パターンに定められる変動時間に達したときには前記遊技状態情報を非表示状態としてから前記表示パターンを繰り返す制御を再開し、
前記大当り状態の開始時に前記主制御部が出力する前記大当り状態の開始を指示する遊技状態信号、及び前記有利遊技状態の終了時に前記主制御部が出力する前記有利遊技状態の終了を指示する遊技状態信号を入力したことにより前記表示制御を終了する遊技機。
【請求項２】
前記表示制御部は、前記変動開始信号で指示された前記演出パターンに対応する表示内容に基づく前記図柄組み合わせゲームにおいて複数の段階に発展するリーチ演出を行う場合、前記計測した時間が前記リーチ演出の最初の段階から次の段階に発展する時間に達すると、該時間の経過に伴って前記遊技状態情報を非表示状態とする請求項１に記載の遊技機。
【発明の詳細な説明】
【技術分野】
【０００１】
本発明は、図柄を変動させて行う図柄組み合わせゲームを表示する表示装置に、前記図柄組み合わせゲームが行われる遊技状態を示す遊技状態情報を表示する遊技機に関するものである。
【背景技術】
【０００２】
従来、遊技機の一種であるパチンコ機は、例えば、液晶ディスプレイ型の可変表示部を備え、当該可変表示部において複数種類の図柄を複数列で変動させて図柄組み合わせを導出する図柄組み合わせゲームが行われている。そして、遊技者は、前記図柄組み合わせゲームで導出され、最終的に停止表示された図柄の組み合わせが大当りの組み合わせ（例えば全列の図柄が同一種類となる組み合わせ）である場合に大当りを認識できるようになっている。大当りの組み合わせが停止表示した場合、遊技者には大当り状態が付与されるようになっている。前記大当り状態が付与されると、大入賞口が開放されて遊技球が入賞可能となるため、遊技者は、多数の賞球が獲得できるチャンスを得ることができる。
【０００３】
また、パチンコ機においては、確率変動（確変）機能を備えたものが知られている。確率変動機能は、大当りの組み合わせが予め定めた確変図柄による組み合わせであることを条件に、大当り状態終了後、大当りの抽選確率が通常確率（例えば３５６．３分の１）から高確率（例えば６２．８分の１）に変動する確率変動状態を付与する機能である。確率変動状態が付与されると、大当りの抽選確率が高確率に変動して大当り状態が生起されやすくなるため、通常の大当りに比して確変の大当りは遊技者にとってさらに有利であり、遊技者は、確変の大当りになることを期待しつつ遊技を行っている。
【０００４】
ところで、確率変動状態では、パチンコ機の内部処理において、大当りの抽選確率を通常確率から高確率に変動させている。そのため、大当りの抽選確率が高確率になっていることを外部に報知する手段を設けない限り、遊技者は、大当り状態終了後に行われる図柄組み合わせゲームが高確率の状態で行われているのか又は通常確率の状態で行われているのかを判断することができない。そこで、このような問題点を解決する方法として、例えば、特許文献１に記載された発明が提案されている。この特許文献１では、大当りの抽選確率が高確率になっていることを明確に示すために、可変表示部内に余白部分（帯状部分）を設け、大当りの抽選確率が高確率になっていることを示す遊技状態情報（「ＣＨＡＮＣＥ」の文字）を表示させるようになっている。
【特許文献１】特開平１０−１１８３１５号公報（段落番号［００２３］、図８）
【発明の開示】
【発明が解決しようとする課題】
【０００５】
ところで、可変表示器では、前記図柄組み合わせゲームに関連付けて様々な内容（複数種類の図柄、背景、演出キャラクタ、文字など）の遊技演出（表示演出）が行われるようになっている。そのため、遊技状態情報を可変表示器の表示領域内に表示させる場合には、当該可変表示器で行われる表示演出の視認性を低下させることなく表示させることが望ましい。このような事から特許文献１では、可変表示部の表示領域に遊技状態情報を表示させるための余白部分を設けている。しかしながら、余白部分の面積を狭くした場合には、当該余白部分に遊技状態情報を小さく表示しなければならず、遊技状態情報の視認性が低下することになる。その一方で、余白部分の面積を広くし、当該余白部分に遊技状態情報を大きく表示すれば、遊技状態情報の視認性を向上させることができるものの、表示演出を表示させる領域が狭くなるため、表示演出の視認性が低下することになる。
【０００６】
そこで、可変表示部の表示領域を表示演出の表示領域と遊技状態情報の表示領域に区別することなく表示させることが考えられる。しかしながら、この場合、遊技状態情報を可変表示部の表示領域に固定表示してしまうと、遊技状態情報と表示演出が重なり合う部分において表示演出の視認性が低下することになる。そのため、遊技状態情報を固定表示させる場合には、表示演出の視認性を向上させるために、遊技状態情報を小さく表示したり、可変表示部の表示領域の隅部に表示しなければならなかった。その結果、表示演出の視認性は確保できるものの、前述同様に遊技状態情報の視認性が低下することになる。
【０００７】
この発明は、このような従来の技術に存在する問題点に着目してなされたものであり、その目的は、表示装置に表示される図柄組み合わせゲームと共に遊技状態情報の視認性を低下させることなく、遊技者に遊技状態を把握させることができる遊技機を提供することにある。
【課題を解決するための手段】
【０００８】
上記問題点を解決するために、請求項１に記載の発明は、図柄を変動させて行う図柄組み合わせゲームを表示する表示装置と、遊技機全体を制御する主制御部と、前記主制御部が出力した各種の制御信号を入力し、前記制御信号に基づいて前記表示装置を制御する表示制御部と、を備え、前記主制御部は、遊技盤に配設した始動入賞口への入賞に基づき大当り判定用乱数の値を取得して大当り判定を行い、前記大当り判定で大当りを決定した場合には前記図柄組み合わせゲームの終了後に大当り状態を付与し、前記大当り状態の終了後には通常状態よりも遊技者に有利な有利遊技状態を付与し、前記表示制御部は、前記主制御部が出力する前記図柄組み合わせゲームの開始を指示するとともに前記図柄組み合わせゲームの変動時間を定めた演出パターンを指示する変動開始信号を入力することにより前記変動開始信号で指示された前記演出パターンに対応する表示内容で前記図柄組み合わせゲームを開始させ、前記主制御部が出力する前記図柄組み合わせゲームの終了を指示する変動停止信号を入力することにより前記図柄組み合わせゲームを終了させて大当りの組み合わせを停止させ、前記大当り状態の終了後は、前記主制御部が出力する前記有利遊技状態の開始を指示する遊技状態指定信号を入力することにより前記図柄組み合わせゲームが行われる遊技状態を示す遊技状態情報を前記表示装置に表示する表示制御を実行する遊技機において、前記表示制御部は、前記表示制御において、１回の図柄組み合わせゲーム中に、前記遊技状態情報が予め定めた同一時間毎に表示状態及び非表示状態となる表示パターンを複数回繰り返すように制御するとともに、前記表示状態とする場合には前記遊技状態情報を前記図柄の前側に重ねて表示させ、前記変動開始信号を入力することにより前記図柄組み合わせゲームにおいて図柄の変動が開始してから停止する迄の時間を計測し、前記図柄組み合わせゲームにおける図柄の変動が開始するとき及び計測した時間が前記演出パターンに定められる変動時間に達したときには前記遊技状態情報を非表示状態としてから前記表示パターンを繰り返す制御を再開し、前記大当り状態の開始時に前記主制御部が出力する前記大当り状態の開始を指示する遊技状態信号、及び前記有利遊技状態の終了時に前記主制御部が出力する前記有利遊技状態の終了を指示する遊技状態信号を入力したことにより前記表示制御を終了することを要旨とする。
【０００９】
請求項２に記載の発明は、請求項１に記載の遊技機において、前記表示制御部は、前記変動開始信号で指示された前記演出パターンに対応する表示内容に基づく前記図柄組み合わせゲームにおいて複数の段階に発展するリーチ演出を行う場合、前記計測した時間が前記リーチ演出の最初の段階から次の段階に発展する時間に達すると、該時間の経過に伴って前記遊技状態情報を非表示状態とすることを要旨とする。
【発明の効果】
【００１０】
本発明によれば、表示装置に表示される図柄組み合わせゲームと共に遊技状態情報の視認性を低下させることなく、遊技者に遊技状態を把握させることができる。
【発明を実施するための最良の形態】
【００１１】
以下、本発明をその一種であるパチンコ遊技機（以下、「パチンコ機」と示す）に具体化した一実施形態を図１〜図８に基づき説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視保護するためのガラス枠を備えた前枠１４と上球皿１５が共に横開き状態で開閉可能に組み付けられている。前枠１４の前面側及び遊技盤１３の遊技領域１３ａには、点灯（点滅）又は消灯し、発光装飾に基づく遊技演出（発光演出）を行う装飾ランプ（発光演出装置）１６が設けられている。外枠１１の下部（パチンコ機１０の下部）には、各種音声（効果音）を出力し、音声出力に基づく遊技演出（音声演出）を行うスピーカ（音声演出装置）１７が配置されている。中枠１２の下部には、下球皿１８及び発射装置１９が装着されている。
【００１２】
遊技盤１３の遊技領域１３ａの略中央には、液晶ディスプレイ型の可変表示器（可変表示部）２０を備えた表示手段としての表示装置（表示演出装置）２１が配設されている。前記表示装置２１では、可変表示器２０の変動画像（又は画像表示）に基づく遊技演出（表示演出）が行われるようになっている。また、可変表示器２０の表示領域Ｈには、図３に示すように、特別図柄表示領域Ｈ１と普通図柄表示領域Ｈ２が設けられている。特別図柄表示領域Ｈ１では、表示演出に関連して、複数種類の特別図柄（以下、「特図」と示す）を複数列で変動させて図柄組み合わせを導出する特別図柄組み合わせゲーム（以下、「特図ゲーム」と示す）が行われるようになっている。本実施形態では、特図ゲームで３列の特図による組み合わせを導出し、該組み合わせを構成する各列の特図の種類を１，２，３，４，５，６，７，８の８種類の数字としている。また、普通図柄表示領域Ｈ２では、表示演出に関連して、複数種類の普通図柄（以下、「普図」と示す）を複数列で変動させて図柄組み合わせを導出する普通図柄組み合わせゲーム（以下、「普図ゲーム」と示す）が行われるようになっている。本実施形態では、普図ゲームで２列の普図による組み合わせを導出し、該組み合わせを構成する各列の普図の種類を、当り図柄「７」と外れ図柄「−（バー）」の２種類としている。
【００１３】
そして、遊技者は、特別図柄表示領域Ｈ１で行われる特図ゲームにおいて、最終的に表示された図柄組み合わせから大当り又ははずれを認識できる。前記特別図柄表示領域Ｈ１に停止表示（以下、「停止」と示す）された全列の特図が同一種類の場合には、その図柄組み合わせ（［１１１］、［７７７］など）から大当りを認識できる。この大当りを認識できる図柄組み合わせが大当りの組み合わせとなる。大当りの組み合わせで停止した場合、遊技者には、大当り状態が付与される。また、特別図柄表示領域Ｈ１に停止した全列の特図が異なる種類の場合又は１列の特図がリーチを形成する特図とは異なる種類の場合には、その図柄組み合わせ（［２３４］［１２２］［７６７］など）からはずれを認識できる。このはずれを認識できる図柄組み合わせがはずれの組み合わせとなる。また、本実施形態のパチンコ機１０は、遊技者側から見て左列→右列→中列の順に特図が一旦停止表示（以下、「一旦停止」と示す）されるようになっている。そして、一旦停止された左特図と右特図が同一種類の場合には、その図柄組み合わせ（［１↓１］など、「↓」は変動表示中を示す）からリーチを認識できる。
【００１４】
また、遊技者は、普通図柄表示領域Ｈ２で行われる普図ゲームにおいて、最終的に停止した図柄組み合わせから当り又ははずれを認識できる。前記普通図柄表示領域Ｈ２に停止した全列の普図が当り図柄の場合には、その図柄組み合わせ（［７７］）から当りを認識できる。当りの組み合わせで停止した場合、遊技者には、当り状態が付与される。また、普通図柄表示領域Ｈ２に停止した全列の普図が当り図柄でない場合には、その図柄組み合わせ（［７−］［−７］［−−］）からはずれを認識できる。
【００１５】
また、表示装置２１の下方には、図示しないアクチュエータ（ソレノイド、モータなど）の作動によって開閉動作を行う開閉羽根２２を備えた始動入賞手段としての始動入賞口２３が配設されている。始動入賞口２３の奥方には、入賞した遊技球を検知する始動口センサＳＥ１（図２に示す）が設けられている。始動入賞口２３は、遊技球の入賞検知を契機に、特図ゲームの始動条件を付与し得る。また、始動入賞口２３の下方には、図示しないアクチュエータ（ソレノイド、モータなど）の作動によって開閉動作を行う大入賞口扉２４を備えた大入賞口２５が配設されている。大入賞口２５は、特図ゲームによって導出され、最終的に停止した図柄組み合わせが大当りの組み合わせになったことに関連して大入賞口扉２４が開閉動作し、開放又は閉鎖されるようになっている。そして、大当り状態が付与されると、大入賞口扉２４の開閉動作によって大入賞口２５が開放されて遊技球が入賞可能となるため、遊技者は、多数の賞球が獲得できるチャンスを得ることができる。
【００１６】
前記大入賞口２５の開放及び閉鎖は、所定の継続条件の成立（１ラウンド中に特定入賞（Ｖ入賞）が有る）によって、予め定めた規定ラウンド数（例えば１５ラウンド）だけ繰り返し行われるようになっている。なお、「１ラウンド」は、大入賞口２５が開放されてから再び閉鎖される迄である。従って、大当り状態が付与されると、最初にオープニング演出が行われ、該オープニング演出の終了後、各ラウンドの遊技が行われる。そして、最終ラウンドの遊技が終了すると、エンディング演出が行われ、該エンディング演出の終了後、大当り状態中に保留されていた特図ゲームがあれば、該特図ゲームが開始する。
【００１７】
また、始動入賞口２３の左方には、始動入賞ゲート２６が配設されている。始動入賞ゲート２６の奥方には、入賞した遊技球を通過検知するゲートセンサＳＥ２（図２に示す）が設けられている。始動入賞ゲート２６は、遊技球の入賞検知を契機に、普図ゲームの始動条件を付与し得る。前記始動入賞口２３は、普図ゲームによって導出され、最終的に停止した図柄組み合わせが当り図柄「７」の組み合わせになったことに関連して開閉羽根２２が開閉動作し、開放又は閉鎖されるようになっている。そして、開閉羽根２２の開動作によって始動入賞口２３が開放されると、当該始動入賞口２３の入り口が拡大され、遊技球が入賞し易い状態となる。一方で、開閉羽根２２の閉動作によって始動入賞口２３が閉鎖されると、当該始動入賞口２３の入り口が縮小され、遊技球が入賞し難い状態となる。
【００１８】
また、本実施形態のパチンコ機１０は、確率変動（確変）機能を備えている。確率変動機能は、大当りの組み合わせが予め定めた確変図柄による組み合わせであることを条件に、大当り状態終了後に、次回の大当り状態開始時まで大当りの抽選確率が通常確率（例えば３５６．３分の１）から高確率（例えば６２．８分の１）に変動する確率変動状態を遊技者に付与する機能である。本実施形態では、確変図柄を１，３，５，７の４種類の特図と定めている。一方で、大当りの組み合わせが予め定めた非確変図柄による組み合わせである場合、大当り状態が付与され、大当り状態終了後、大当りの抽選確率が変動せずに通常確率を維持するようになっている。本実施形態では、非確変図柄を２，４，６，８の４種類の特図と定めている。「確変」とは「確率変動」の略である。
【００１９】
また、本実施形態のパチンコ機１０は、時間短縮（時短）機能を備えている。時間短縮機能は、開閉羽根２２を開動作させるか否か（始動入賞口２３に遊技球を入賞し易くするか否か）の抽選結果を導出する時間が短縮された時間短縮状態を遊技者に付与する機能である。即ち、時間短縮状態が付与されると、１回の普図ゲームの時間（普図が変動を開始してから停止する迄の時間）が、例えば、３０秒（時間短縮状態が付与されていないとき）から２秒（時間短縮状態が付与されているとき）に短縮される。この時間短縮状態は、全ての通常の大当りによって付与された大当り状態終了後、所定回数（例えば１００回）の特図ゲームが終了する迄、又は前記所定回数に達する前に大当りが生起される迄の間、付与される。「時短」とは「時間短縮」の略である。
【００２０】
そして、始動入賞口２３の開閉羽根２２は、前記確率変動状態又は時間短縮状態が付与されている場合と、これらの状態が付与されていない場合（以下、「通常状態」と示す）では、当り状態が付与された際、異なる動作パターンで開閉動作するようになっている。即ち、開閉羽根２２は、通常状態中よりも確率変動状態中又は時間短縮状態中の方が、遊技者にとって有利に動作するように構成されている。具体的に例示すれば、通常状態において、開閉羽根２２は、始動入賞口２３を０．３秒間、開放させる開閉動作を１回行うようになっている。一方で、確率変動状態中又は時間短縮状態中において、開閉羽根２２は、始動入賞口２３を１．６秒間、開放させる開閉動作を３回行うようになっている。
【００２１】
次に、パチンコ機１０の制御構成を図２に基づき説明する。
パチンコ機１０の機裏側には、遊技機全体を制御する主制御基板（主制御部）２７が装着されている。主制御基板２７は、遊技機全体を制御するための各種処理を実行し、該処理結果に応じて各種の制御コマンドを演算処理する。そして、主制御基板２７は、制御コマンドを所定の制御信号として出力する。また、機裏側には、可変表示器２０（特別図柄表示領域Ｈ１、普通図柄表示領域Ｈ２）を制御する表示制御手段としての表示制御基板（表示制御部）２８、装飾ランプ１６を制御するランプ制御基板（発光制御部）２９、及びスピーカ１７を制御する音声制御基板（音声制御部）３０が装着されている。前記各制御基板２８〜３０は、主制御基板２７が出力した各種の制御信号（制御コマンド）を入力し、該制御信号に基づいて遊技演出（表示演出、発光演出、音声演出）の制御を実行する。本実施形態において、主制御基板２７は、遊技機全体を制御するメイン制御手段として機能するように構成されている。また、本実施形態において、表示制御基板２８、ランプ制御基板２９及び音声制御基板３０は、前述のように制御対象が各別に定められており、該制御対象を専門的に制御することから、メイン制御手段である主制御基板２７に対し、サブ制御手段（図２に破線で囲む）として機能するように構成されている。
【００２２】
以下、主制御基板２７及び表示制御基板２８について、その具体的な構成を図２に基づき説明する。
主制御基板２７は、メインＣＰＵ２７ａを備えており、該メインＣＰＵ２７ａにはＲＯＭ２７ｂ及びＲＡＭ２７ｃが接続されている。メインＣＰＵ２７ａは、大当りの抽選に用いる大当り判定用乱数や当りの抽選に用いる当り判定用乱数などの各種乱数の値を所定の周期毎に順次更新し、更新後の値をＲＡＭ２７ｃの設定領域に設定して更新前の値を書き換えている。ＲＯＭ２７ｂには、パチンコ機１０を制御するための制御プログラムや、複数種類の演出パターンが記憶されている。ＲＡＭ２７ｃには、パチンコ機１０の動作中に適宜書き換えられる各種の情報（各種乱数の値など）が記憶（設定）されるようになっている。
【００２３】
前記演出パターンは、特図ゲーム、普図ゲーム、及び大当り状態中において行われる遊技演出（表示演出、発光演出、音声演出）のベースとなるパターンを示すものである。前記ＲＯＭ２７ｂには、特図ゲーム用の演出パターン（以下、「特図演出パターン」と示す）及び普図ゲーム用の演出パターン（以下、「普図演出パターン」と示す）が記憶されている。また、ＲＯＭ２７ｂには、大当り状態中のオープニング演出用の演出パターン、エンディング演出用の演出パターン、及び各ラウンド演出用の演出パターンが記憶されている。前記特図演出パターンと普図演出パターンについては、該演出パターン毎に、特図又は普図の変動開始（特図ゲーム又は普図ゲームの開始）から全列の特図又は普図が停止（特図ゲーム又は普図ゲームが終了）する迄の演出時間（変動時間）が定められている。そして、ＲＯＭ２７ｂには、特図演出パターンが大当り演出（特図ゲームが、最終的に大当りの組み合わせで停止するように展開される演出）用と、はずれ演出（特図ゲームが、最終的にはずれの組み合わせで停止するように展開される演出）用に分類されて記憶されている。また、ＲＯＭ２７ｂには、演出時間が異なる２種類の普図演出パターンが記憶されている。具体的には、演出時間Ｔ１（例えば３０秒）が対応付けられた普図演出パターンと、演出時間Ｔ２（＜Ｔ１，例えば２秒）が対応付けられた普図演出パターンが記憶されている。
【００２４】
そして、メインＣＰＵ２７ａは、始動入賞口２３及び始動口センサＳＥ１によって構成される入賞検出手段が出力する始動入賞信号を入力し、特図ゲームに関連する各種処理（大当り判定、停止図柄（特図）、演出パターンの決定など）を実行する。
【００２５】
メインＣＰＵ２７ａは、前記始動入賞信号を入力すると、大当り判定用乱数の値をＲＡＭ２７ｃから読み出し、ＲＡＭ２７ｃの所定の格納領域に格納（記憶）する。そして、メインＣＰＵ２７ａは、特図ゲームの開始直前に、ＲＡＭ２７ｃに格納されている前記大当り判定用乱数の値とＲＯＭ２７ｂに記憶されている大当り判定値を比較して大当り判定を行う。大当り判定の結果が肯定（大当り判定用乱数の値と大当り判定値が一致）の場合、メインＣＰＵ２７ａは、大当りを決定する。本実施形態では、大当り判定用乱数の取り得る数値を０〜１０６８（全１０６９通りの整数）としている。そして、メインＣＰＵ２７ａは、大当り確率を通常確率（低確率）とする場合、大当り判定用乱数の取り得る数値の中から予め定めた３個の大当り判定値を用いて、大当り確率を１０６９分の３（＝３５６．３分の１）として大当り判定を行う。一方、メインＣＰＵ２７ａは、大当り確率を高確率とする場合、大当り判定用乱数の取り得る数値の中から予め定めた１７個の大当り判定値を用いて、大当り確率を１０６９分の１７（＝６２．８分の１）として大当り判定を行う。
【００２６】
大当りの決定がなされると、メインＣＰＵ２７ａは、可変表示器２０（特別図柄表示領域Ｈ１）に最終的に停止させる図柄（停止図柄左、中、右）を、全列が同一種類の特図となるように決定する。この決定した停止図柄左、停止図柄中、停止図柄右が、可変表示器２０（特別図柄表示領域Ｈ１）において左特図、中特図、右特図として最終的に導出される。そして、メインＣＰＵ２７ａが、各停止図柄を全て１，３，５又は７に決定すると、可変表示器２０（特別図柄表示領域Ｈ１）には、確変の大当りとなる大当りの組み合わせ［１１１］［３３３］［５５５］［７７７］の何れかが停止する。また、メインＣＰＵ２７ａが、各停止図柄を全て２，４，６又は８に決定すると、可変表示器２０（特別図柄表示領域Ｈ１）には、通常の大当りとなる大当りの組み合わせ［２２２］［４４４］［６６６］［８８８］の何れかが停止する。本実施形態においてメインＣＰＵ２７ａは、大当りの決定がなされた場合に決定した特図（停止図柄左、停止図柄中、停止図柄右）から、大当りの抽選確率を変動させるか否か（高確率に変動させるか否か）を判定する。また、メインＣＰＵ２７ａは、大当りの決定がなされると、大当り演出用の特図演出パターンの中から１つの特図演出パターンを決定する。
【００２７】
一方、前記大当り判定の判定結果が否定（大当り判定用乱数の値と大当り判定値が不一致）の場合、メインＣＰＵ２７ａは、はずれを決定する。はずれの決定がなされると、メインＣＰＵ２７ａは、可変表示器２０（特別図柄表示領域Ｈ１）に最終的に停止させる図柄（停止図柄左、中、右）を、全列が同一種類の特図とならないように決定する。また、メインＣＰＵ２７ａは、はずれの決定がなされると、はずれ演出用の特図演出パターンの中から１つの特図演出パターンを決定する。
【００２８】
前記停止図柄（特図）及び特図演出パターンを決定したメインＣＰＵ２７ａは、表示制御基板２８のサブＣＰＵ２８ａに対して、所定の制御コマンドを所定のタイミングで出力する。具体的に言えば、メインＣＰＵ２７ａは、最初に特図演出パターンを指定すると共に特図の変動開始を指示する特図演出パターン指定コマンド（変動開始信号）を出力する。次に、メインＣＰＵ２７ａは、停止図柄左を指定する左特図指定コマンド、停止図柄中を指定する中特図指定コマンド及び停止図柄右を指定する右特図指定コマンドを、左特図指定コマンド→右特図指定コマンド→中特図指定コマンドの順に出力する。その後に、メインＣＰＵ２７ａは、指定した特図演出パターンに定められている演出時間の経過時に、各列の特図の停止を指示する全特図停止コマンド（変動停止信号）を出力する。なお、メインＣＰＵ２７ａは、特図演出パターン指定コマンドを、ランプ制御基板２９及び音声制御基板３０の各サブＣＰＵにも出力する。
【００２９】
また、メインＣＰＵ２７ａは、始動入賞ゲート２６及びゲートセンサＳＥ２によって構成される入賞検出手段が出力するゲート入賞信号を入力し、普図ゲームに関連する各種処理（当り判定、停止図柄（普図）、演出パターンの決定など）を実行する。
【００３０】
メインＣＰＵ２７ａは、前記ゲート信号を入力すると、当り判定用乱数の値をＲＡＭ２７ｃから読み出し、ＲＡＭ２７ｃの所定の格納領域に格納（記憶）する。そして、メインＣＰＵ２７ａは、普図ゲームの開始直前に、ＲＡＭ２７ｃに格納されている前記当り判定用乱数の値とＲＯＭ２７ｂに記憶されている当り判定値を比較して当り判定を行う。当り判定の結果が肯定（当り判定用乱数の値と当り判定値が一致）の場合、メインＣＰＵ２７ａは、当りを決定する。一方で、当り判定の結果が否定（当り判定用乱数の値と当り判定値が不一致）の場合、メインＣＰＵ２７ａは、はずれを決定する。本実施形態では、当り判定用乱数の取り得る数値を、０〜２２（全２３通りの整数）としている。そして、メインＣＰＵ２７ａは、当り判定用乱数の取り得る数値の中から予め定めた２０個の当り判定値を用いて、当りの抽選確率を２３分の２０として当り判定を行う。
【００３１】
当りの決定がなされると、メインＣＰＵ２７ａは、可変表示器２０（普通図柄表示領域Ｈ２）に最終的に停止させる図柄（停止図柄左，右）を決定する。本実施形態では、当りの組み合わせが１種類であるため、メインＣＰＵ２７ａは、停止図柄左と停止図柄右を「７」に決定する。一方、はずれの決定がなされると、メインＣＰＵ２７ａは、可変表示器２０（普通図柄表示領域Ｈ２）に最終的に停止させる図柄（停止図柄左、右）を、全列が当り図柄「７」とならないように決定する。そして、停止図柄右と停止図柄左を決定したメインＣＰＵ２７ａは、２種類の普図演出パターンの中から１つの普図演出パターンを決定する。具体的には、メインＣＰＵ２７ａは、通常状態中（確率変動状態又は時間短縮状態が付与されていない）であれば演出時間Ｔ１が対応付けられた普図演出パターンを決定し、確率変動状態中又は時間短縮状態中であれば演出時間Ｔ２（＜Ｔ１）が対応付けられた普図演出パターンを決定する。
【００３２】
前記停止図柄（普図）及び普図演出パターンを決定したメインＣＰＵ２７ａは、表示制御基板２８のサブＣＰＵ２８ａに対して、所定の制御コマンドを所定のタイミングで出力する。具体的に言えば、メインＣＰＵ２７ａは、最初に普図演出パターンを指定すると共に普図の変動開始を指示する普図演出パターン指定コマンドを出力する。次に、メインＣＰＵ２７ａは、停止図柄左を指定する左普図指定コマンド、停止図柄右を指定する右普図指定コマンドを、左普図指定コマンド→右普図指定コマンドの順に出力する。その後に、メインＣＰＵ２７ａは、指定した普図演出パターンに定められている演出時間の経過時に、各列の普図の停止を指示する全普図停止コマンドを出力する。
【００３３】
また、メインＣＰＵ２７ａは、大当りを決定した場合、決定した特図演出パターンに基づく特図ゲームの終了後（大当りの組み合わせを停止させた後）、大当りの遊技に移行する。そして、メインＣＰＵ２７ａは、表示制御基板２８のサブＣＰＵ２８ａに対して所定の制御コマンドを所定のタイミングで出力する。具体的に言えば、メインＣＰＵ２７ａは、最初に、オープニング演出用の演出パターンを指定するオープニング指定コマンドを出力する。本実施形態において、オープニング指定コマンドは、遊技状態として大当り状態を示す遊技状態指定信号となる。次に、メインＣＰＵ２７ａは、各ラウンドの遊技が開始するタイミングで、各ラウンド演出用の演出パターンを指定するラウンド指定コマンドを順次出力する。その後に、メインＣＰＵ２７ａは、最終ラウンドの終了時に、エンディング演出用の演出パターンを指定するエンディング指定コマンドを出力する。なお、メインＣＰＵ２７ａは、オープニング指定コマンド、ラウンド指定コマンド、及びエンディング指定コマンドを、ランプ制御基板２９及び音声制御基板３０の各サブＣＰＵにも出力する。
【００３４】
また、メインＣＰＵ２７ａは、大当り状態が終了（エンディング演出が終了）すると、高確率指定コマンド又は時短作動指定コマンドの何れかを表示制御基板２８のサブＣＰＵ２８ａに出力する。前記高確率指定コマンドは、確変の大当りが生起された場合に出力され、確率変動状態が開始したことを指示している。本実施形態において、高確率指定コマンドは、遊技状態として確率変動状態を示す遊技状態指定信号となる。前記時短作動指定コマンドは、通常の大当りが生起された場合に出力され、時間短縮状態が開始したことを指示している。本実施形態において、時短作動指定コマンドは、遊技状態として時間短縮状態を示す遊技状態指定信号となる。また、メインＣＰＵ２７ａは、時短作動指定コマンドを出力した場合、特図ゲームが行われた回数（又は特図演出パターン指定コマンドを出力した回数）を計数する。そして、メインＣＰＵ２７ａは、前記回数が所定回数（例えば１００回）に達すると、前記所定回数目の特図ゲームの終了後、時短終了指定コマンドを表示制御基板２８のサブＣＰＵ２８ａに出力する。前記時短終了指定コマンドは、時間短縮状態が終了したことを指示している。本実施形態において、時短終了指定コマンドは、遊技状態として通常状態を示す遊技状態指定信号となる。
【００３５】
次に、表示制御基板２８について説明する。
前記表示制御基板２８は、サブＣＰＵ２８ａを備えており、該サブＣＰＵ２８ａにはＲＯＭ２８ｂ及びＲＡＭ２８ｃが接続されている。ＲＯＭ２８ｂには、複数種類の表示演出用の演出実行データや、各種の画像情報（特図又は普図の画像、背景画像、文字画像、登場キャラクタの画像など）が記憶されている。ＲＡＭ２８ｃには、パチンコ機１０の動作中に適宜書き換えられる各種情報が記憶（設定）されるようになっている。前記表示演出用の演出実行データは、サブＣＰＵ２８ａが、可変表示器２０（特別図柄表示領域Ｈ１、普通図柄表示領域Ｈ２）の表示内容（特図又は普図の変動、キャラクタの動作、背景、表示される文字など）を制御するための情報である。そして、ＲＯＭ２８ｂには、１つの演出パターンに対して１つの表示演出用の演出実行データが対応付けられて記憶されている。従って、サブＣＰＵ２８ａは、前記各演出パターン指定コマンドを入力すると、指定された演出パターンに対応する表示演出用の演出実行データをＲＯＭ２８ｂから読み出し、該演出実行データに基づき可変表示器２０（特別図柄表示領域Ｈ１、普通図柄表示領域Ｈ２）の表示内容を制御する。この制御により、可変表示器２０では、表示演出が行われる。
【００３６】
そして、本実施形態のパチンコ機１０は、通常状態、確率変動状態、時間短縮状態のうち、確率変動状態中及び時間短縮状態中において、その遊技状態（特図ゲームが行われている状況）を遊技者に報知するように構成されている。以下、確率変動状態であること及び時間短縮状態であることを遊技者に報知するための構成及び処理について詳しく説明する。
【００３７】
表示制御基板２８のＲＯＭ２８ｂには、遊技状態情報としての文字情報ＩＮａの画像及び文字情報ＩＮｂの画像が記憶されている。前記文字情報ＩＮａは、確率変動状態を示すように「確変中」の文字によって構成されており（図３（ｂ））、現在の大当り抽選確率（高確率）に応じた確率状態情報（確率変動状態情報）となる。前記文字情報ＩＮｂは、時間短縮状態を示すように「時短中」の文字によって構成されており（図３（ｃ））、時間短縮状態情報となる。そして、表示制御基板２８のサブＣＰＵ２８ａは、図４に示す表示開始処理及び図５に示す表示開始後処理に基づき、前記文字情報ＩＮａ又は文字情報ＩＮｂを可変表示器２０（特別図柄表示領域Ｈ１）に表示させる表示制御を行う。より詳しくは、サブＣＰＵ２８ａは、前記表示開始処理（図４）において、主制御基板２７のメインＣＰＵ２７ａが出力した制御コマンドから遊技状態（通常状態か、確率変動状態か、時間短縮状態か、大当り状態か）を認識（判定）し、該遊技状態に応じて前記表示制御を開始又は終了する。そして、前記表示制御を開始した場合、サブＣＰＵ２８ａは、表示開始後処理（図５）において、メインＣＰＵ２７ａが出力した制御コマンドに応じて文字情報ＩＮａ又は文字情報ＩＮｂの表示態様（表示状態とするか、非表示状態とするか）を制御する。
【００３８】
最初に、図４に基づき表示開始処理を説明する。
サブＣＰＵ２８ａは、高確率指定コマンド（ＫＳ）又は時短作動指定コマンド（ＺＳ）を入力したか否かを判定する（ステップＳ１０）。この判定結果が肯定（入力した）の場合、サブＣＰＵ２８ａは、入力した制御コマンド（高確率指定コマンド又は時短作動指定コマンド）から遊技状態を認識する。より詳しくは、サブＣＰＵ２８ａは、高確率指定コマンドを入力した場合には遊技状態が確率変動状態であることを認識し、時短作動指定コマンドを入力した場合には遊技状態が時間短縮状態であることを認識する。そして、サブＣＰＵ２８ａは、遊技状態に応じて文字情報ＩＮａ又は文字情報ＩＮｂを可変表示器２０の特別図柄表示領域Ｈ１に表示させるように表示制御を開始する（ステップＳ１１）。即ち、確率変動状態であれば文字情報ＩＮａを表示させる表示制御を開始し、時間短縮状態であれば文字情報ＩＮｂを表示させる表示制御を開始する。また、ステップＳ１１においてサブＣＰＵ２８ａは、可変表示器２０（特別図柄表示領域Ｈ１）の背景色を、通常状態のときの背景色（例えば青）から代えるように表示制御を行う。具体的には、高確率指定コマンドを入力した場合には、確率変動状態のときの背景色（例えば赤）に代えるように表示制御を行い、時短作動指定コマンドを入力した場合には、時間短縮状態のときの背景色（例えば紫）に代えるように表示制御を行う。
【００３９】
そして、前記文字情報ＩＮａ，ＩＮｂを表示させる表示制御は、図６（ａ）に示すように行われる。前記サブＣＰＵ２８ａは、高確率指定コマンド（ＫＳ）又は時短作動指定コマンド（ＺＳ）を入力すると、当該コマンドを入力してから時間ａ（例えば１秒）の経過後に、文字情報ＩＮａ又は文字情報ＩＮｂが可変表示器２０（特別図柄表示領域Ｈ１）で表示状態となるように表示制御を行う。そして、サブＣＰＵ２８ａは、文字情報ＩＮａ又は文字情報ＩＮｂを表示状態としてから時間ｂ（例えば１秒）の経過後に、文字情報ＩＮａ又は文字情報ＩＮｂが可変表示器２０（特別図柄表示領域Ｈ１）で非表示状態となるように表示制御を行う。その後、サブＣＰＵ２８ａは、時間ａの経過後に文字情報ＩＮａ又は文字情報ＩＮｂを表示状態とし、時間ｂの経過後に文字情報ＩＮａ又は文字情報ＩＮｂを非表示状態とし、文字情報ＩＮａ又は文字情報ＩＮｂが可変表示器２０（特別図柄表示領域Ｈ１）で表示状態と非表示状態を繰り返すように表示制御を行う。この表示制御においてサブＣＰＵ２８ａは、時間ａと時間ｂが加算された時間Ｔを１周期とし、当該周期内で文字情報ＩＮａ又は文字情報ＩＮｂが非表示状態及び表示状態となる表示パターンを繰り返すように表示制御する。本実施形態では、非表示状態となる時間ａと表示状態となる時間ｂを同一時間に設定している。
【００４０】
一方、図４に示す表示開始処理のステップＳ１０の判定結果が否定（入力していない）の場合、サブＣＰＵ２８ａは、オープニング指定コマンド（ＯＰ）又は時短終了指定コマンド（ＺＥ）を入力したか否かを判定する（ステップＳ１２）。この判定結果が肯定（入力した）の場合、サブＣＰＵ２８ａは、入力した制御コマンド（オープニング指定コマンド又は時短終了指定コマンド）から遊技状態を認識する。より詳しくは、サブＣＰＵ２８ａは、オープニング指定コマンドを入力した場合には遊技状態が大当り状態であることを認識し、時短終了指定コマンドを入力した場合には遊技状態が通常状態であることを認識する。そのため、サブＣＰＵ２８ａは、文字情報ＩＮａ又は文字情報ＩＮｂを可変表示器２０の特別図柄表示領域Ｈ１に表示させる表示制御を終了する（ステップＳ１３）。前記表示制御の終了によって、文字情報ＩＮａ又は文字情報ＩＮｂは、非表示状態となる。なお、前記ステップＳ１２の判定結果が否定（入力していない）の場合、サブＣＰＵ２８ａは、ステップＳ１０から再び表示開始処理を行う。
【００４１】
次に、図５に基づき表示開始後処理を説明する。
サブＣＰＵ２８ａは、特図演出パターン指定コマンド（ＴＳ）を入力したか否かを判定する（ステップＳ２０）。この判定結果が肯定（入力した）の場合、サブＣＰＵ２８ａは、文字情報ＩＮａ又は文字情報ＩＮｂが非表示状態となるように表示制御を行う（ステップＳ２１，図６（ｂ））。その後、サブＣＰＵ２８ａは、文字情報ＩＮａ又は文字情報ＩＮｂが可変表示器２０（特別図柄表示領域Ｈ１）で表示状態と非表示状態を繰り返すように表示制御を行う（ステップＳ２２，図６（ｂ））。即ち、特図演出パターン指定コマンドを入力した場合、サブＣＰＵ２８ａは、前記ステップＳ２１，Ｓ２２において、文字情報ＩＮａ又は文字情報ＩＮｂを一旦非表示状態とし、その状態から文字情報ＩＮａ又は文字情報ＩＮｂが前記表示パターンを繰り返すように表示制御を行う。
【００４２】
一方、ステップＳ２０の判定結果が否定（入力していない）の場合、サブＣＰＵ２８ａは、全特図停止コマンド（ＴＥ）を入力したか否かを判定する（ステップＳ２３）。この判定結果が肯定（入力した）の場合、サブＣＰＵ２８ａは、前記ステップＳ２１，ステップＳ２２に移行して前述同様に表示制御を行う。即ち、全特図停止コマンドを入力した場合、サブＣＰＵ２８ａは、図６（ｂ）に示すように、前記ステップＳ２１，Ｓ２２において、文字情報ＩＮａ又は文字情報ＩＮｂを一旦非表示状態とし、その状態から文字情報ＩＮａ又は文字情報ＩＮｂが再び前記表示パターンを繰り返すように表示制御する。なお、前記ステップＳ２３の判定結果が否定（入力していない）の場合、サブＣＰＵ２８ａは、文字情報ＩＮａ又は文字情報ＩＮｂが前記表示パターンを繰り返すように表示制御を継続し、ステップＳ２０から再び表示開始後処理を行う。
【００４３】
前記サブＣＰＵ２８ａが図４〜図６に示すように表示制御を行うことで、確率変動状態中又は時間短縮状態中は、可変表示器２０（特別図柄表示領域Ｈ１）において文字情報ＩＮａ又は文字情報ＩＮｂが表示状態と非表示状態を繰り返し、遊技状態（確率変動状態又は時間短縮状態）を報知する。また、確率変動状態中又は時間短縮状態中に行われる特図ゲームにおいて、特図の変動が開始するとき及び特図の変動が停止するときには、文字情報ＩＮａ又は文字情報ＩＮｂが非表示状態となる。そして、前記特図ゲームにおいて、特図の変動が開始した後、特図の変動が停止する迄の間、文字情報ＩＮａ又は文字情報ＩＮｂが表示状態と非表示状態を繰り返し、遊技状態（確率変動状態又は時間短縮状態）を報知する。
【００４４】
以下、図７及び図８に基づき、確率変動状態中に特図ゲームが行われる態様を具体的に説明する。なお、図７及び図８では、普通図柄表示領域Ｈ２で行われる普図ゲームの内容を省略し、特別図柄表示領域Ｈ１において変動表示中の特図を「白抜き矢印」で示す。
【００４５】
高確率指定コマンドを入力したサブＣＰＵ２８ａは、確率変動状態であることを認識し、現在の遊技状態が確率変動状態であることを報知するように文字情報ＩＮａ（「確変中」）の表示制御を行う。前記文字情報ＩＮａは、可変表示器２０（特別図柄表示領域Ｈ１）の左上隅において、特別図柄表示領域Ｈ１に表示される特図（左特図、中特図）や背景の前面側に重なり合うように表示される。また、サブＣＰＵ２８ａは、高確率指定コマンドを入力すると、可変表示器２０の背景色を通常状態のときの背景色から確率変動状態のときの背景色（左下がり斜線で示す）に代えるように表示制御を行う。そして、可変表示器２０では、文字情報ＩＮａが前記表示パターンに従って表示状態と非表示状態を繰り返す。即ち、高確率指定コマンドを入力してから時間ａの経過後、文字情報ＩＮａが表示状態となり（図７（ａ））、当該表示状態となってから時間ｂの経過後に文字情報ＩＮａが非表示状態となる（図７（ｂ））。また、非表示状態となってから時間ａの経過後、再び、文字情報ＩＮａが表示状態となる（図７（ｃ））。
【００４６】
そして、サブＣＰＵ２８ａは、特図演出パターン指定コマンド及び各特図指定コマンドを入力すると、特図ゲームを行うように可変表示器２０（特別図柄表示領域Ｈ１）の表示内容を制御する。その結果、可変表示器２０では、図柄の変動が開始し、各列の特図が変動表示されることにより、特図ゲームが開始する（図７（ｄ））。前記特図ゲームが開始するとき（特図の変動が開始するとき）、可変表示器２０では、文字情報ＩＮａが非表示状態となる。そして、可変表示器２０では、前記特図ゲームが開始してから（特図の変動が開始してから）、時間ａの経過後に文字情報ＩＮａが再び表示状態となり、以降、前記表示パターンに従って表示状態と非表示状態を繰り返す。
【００４７】
続いて、可変表示器２０では、特図ゲームが開始してから所定の時間が経過する毎に、左列（図８（ａ））→右列（図８（ｂ））→中列（図８（ｃ））の順に変動表示が終了し、左特図→右特図→中特図の順に特図が一旦停止する。この間（図８（ａ）〜（ｃ））、文字情報ＩＮａは表示パターンに従って表示状態と非表示状態を繰り返し、遊技状態が確率変動状態であることを報知する。図８（ａ）では左特図として「４」が、図８（ｂ）では右特図として「５」が、図８（ｃ）では中特図として「７」が一旦停止し、可変表示器２０では、はずれの組み合わせ［４７５］が一旦停止する。その後、可変表示器２０では、全特図停止コマンドの入力により、はずれの組み合わせ［４７５］が停止してはずれが確定し、１回の特図ゲームが終了する（図８（ｄ））。前記特図ゲームが終了するとき（特図の変動が終了するとき）、可変表示器２０では、文字情報ＩＮａが非表示状態となる。その結果、遊技者は、文字情報ＩＮａが非表示状態となることにより、特図ゲームによって導出され、最終的に停止した図柄の組み合わせ（はずれの組み合わせ［４７５］）を確実に把握することが可能となる。
【００４８】
その後、可変表示器２０では、確率変動状態中において特図ゲームが行われる度に、前述同様に表示制御が行われ、文字情報ＩＮａが表示状態と非表示状態を繰り返し、遊技状態が確率変動状態であることを報知する。そして、確率変動状態中に大当りが生起され、サブＣＰＵ２８ａがオープニング指定コマンドを入力すると、遊技状態が大当り状態になるため、可変表示器２０では、文字情報ＩＮａが非表示状態となる。即ち、サブＣＰＵ２８ａは、オープニング指定コマンドの入力によって前記表示制御を終了する。
【００４９】
因みに、サブＣＰＵ２８ａが、大当り状態終了後に、時短作動指定コマンドを入力した場合は、文字情報ＩＮｂによって時間短縮状態であることが報知される。そして、時間短縮状態中に行われる特図ゲームにおいては、前述した確率変動状態中の特図ゲームと同様に、文字情報ＩＮｂが前記表示パターンに従って表示状態と非表示状態を繰り返し、遊技状態が時間短縮状態であることを報知する。また、時間短縮状態中に行われる特図ゲームにおいても、前述同様に、特図ゲームが開始するとき（特図の変動が開始するとき）及び特図ゲームが終了するとき（特図の変動が終了するとき）に文字情報ＩＮｂが非表示状態となる。そして、所定回数の特図ゲームが終了し、サブＣＰＵ２８ａが時短終了コマンドを入力すると、遊技状態が通常状態になるため、可変表示器２０では、文字情報ＩＮｂが非表示状態となる。即ち、サブＣＰＵ２８ａは、時短終了指定コマンドの入力によって前記表示制御を終了する。また、所定回数の特図ゲームが終了する前であって、時間短縮状態中に大当りが生起され、サブＣＰＵ２８ａがオープニング指定コマンドを入力すると、遊技状態が大当り状態になるため、可変表示器２０では、文字情報ＩＮｂが非表示状態となる。即ち、サブＣＰＵ２８ａは、オープニング指定コマンドの入力によって前記表示制御を終了する。
【００５０】
従って、本実施形態によれば、以下に示す効果を得ることができる。
（１）確率変動状態を示す文字情報ＩＮａ、又は時間短縮状態を示す文字情報ＩＮｂが表示状態と非表示状態を繰り返すように制御する構成とした。そのため、遊技状態情報が非表示状態とされた場合には可変表示器２０（特別図柄表示領域Ｈ１）で行われる表示演出（特図ゲーム）を視認することができ、遊技状態情報が表示状態とされた場合には遊技状態情報を視認することができる。従って、表示演出と遊技状態情報の視認性が低下することなく、遊技者に遊技状態（確率変動状態中であるか、時間短縮状態中であるか）を把握させることができる。
【００５１】
（２）また、遊技状態情報（文字情報ＩＮａ，ＩＮｂ）が表示状態と非表示状態を繰り返すことにより、遊技状態情報を所定の位置に固定表示する場合に比して、遊技者に現在の遊技状態を印象付けることができる。従って、遊技者に遊技状態をより確実に把握させることができる。
【００５２】
（３）特図の変動が開始するとき、及び特図の変動が終了するとき、確率変動状態を示す文字情報ＩＮａ及び時間短縮状態を示す文字情報ＩＮｂを非表示状態とするように制御する構成とした。特図の変動が開始するときは、特図ゲームの展開を示唆する演出なども行われるため、遊技者は特図がどのように変動を開始するのかという点に着目しており、表示演出における１つの視認ポイントとなる。同様に、特図の変動が終了するときは、最終的に停止した特図の組み合わせに遊技者が着目しており、表示演出における１つの視認ポイントとなる。そのため、これらの視認ポイントにおいて遊技状態情報を非表示状態とすることにより、遊技状態情報が表示状態となっている場合に比して特図が見難い、見えないといった事態を抑制でき、遊技者は、視認ポイントにおいて特図（表示演出）を確実に視認することができる。従って、可変表示器２０に表示演出と共に遊技状態情報を表示した場合であっても、表示演出の視認性が低下することを抑制できる。
【００５３】
（４）そして、特図の変動が開始するとき、及び特図の変動が終了するときに遊技状態情報を非表示状態とした後、遊技状態情報が表示状態と非表示状態を繰り返すように構成した。従って、特図ゲームが開始してから終了する迄の間、表示演出と遊技状態情報の視認性が低下することなく、遊技者に遊技状態を把握させることができる。また、表示演出と遊技状態情報の視認性が低下しないため、遊技状態情報（文字情報ＩＮａ，ＩＮｂ）の表示位置や大きさについて、特図（背景の画）と遊技状態情報が重ならないように配慮する必要がない。そのため、遊技者にとって見易い位置や見易い大きさで遊技状態情報を可変表示器２０に表示させることができる。また、遊技状態情報の自由度が広がるため、例えば、見た目にインパクトがある遊技状態情報を表示させることもできる。
【００５４】
（５）特図演出パターン指定コマンド及び全特図停止コマンドを入力した際に、遊技状態情報を非表示状態とするように制御する構成とした。そのため、特図の変動が開始するとき、及び特図の変動が終了するときには、遊技状態情報を確率に非表示状態とすることができる。
【００５５】
（６）高確率指定コマンド又は時短作動指定コマンドを入力すると遊技状態情報の表示状態を開始し、遊技状態情報を表示することによって、確率変動状態又は時間短縮状態を確実に報知することができる。また、オープニング指定コマンド又は時短終了コマンドを入力すると遊技状態情報の表示制御を終了することにより、大当り状態や通常状態に移行した際、確率変動状態や時間短縮状態の報知を確実に終了させることができる。
【００５６】
（７）文字情報ＩＮａ又は文字情報ＩＮｂを可変表示器２０に表示し、遊技状態が確率変動状態又は時間短縮状態であることを報知するように構成した。前記確率変動状態と時間短縮状態は、パチンコ機１０の内部処理によって作り出されるものであって、外部（遊技者側）から判断することができない。従って、遊技状態が確率変動状態又は時間短縮状態であることを報知することにより、遊技者に現在の遊技状態を確実に把握させることができる。
【００５７】
（８）遊技状態情報が非表示状態となる時間ａと表示状態となる時間ｂを同一の時間に設定した。そのため、テンポ良く遊技状態情報を表示することができる。また、表示演出と遊技状態情報の視認性のバランスを保つことができる。
【００５８】
なお、前記実施形態は以下のように変更してもよい。
・前記実施形態において、遊技状態が通常状態であることを報知するようにしても良い。前記実施形態に示したパチンコ機１０において通常状態を報知する場合、サブＣＰＵ２８ａは、時短終了指定コマンドを入力すると、通常状態を示す遊技状態情報を可変表示器２０に表示させる制御を行う。
【００５９】
・前記実施形態では、全ての通常の大当りによって付与された大当り状態終了後に時間短縮状態が付与されているが、確率変動の終了の契機となる通常の大当りによって付与された大当り状態終了後に時間短縮状態を付与するように構成されたパチンコ機に適用しても良い。このパチンコ機の場合、大当り状態が終了した際に、通常状態から通常の大当りが生起されている場合、通常確率指定コマンド（遊技状態指定信号）が出力される。そのため、サブＣＰＵ２８ａは、通常確率指定コマンドを入力すると、通常状態を認識する。従って、前述のように通常状態を報知するように構成した場合、時間短縮状態が付与される場合には時短終了指定コマンドの入力によって通常状態を報知する表示制御を開始すると共に、時間短縮状態が付与されない場合には通常確率指定コマンドの入力によって通常状態を報知する表示制御を開始する。
【００６０】
・前記実施形態では、サブＣＰＵ２８ａが、高確率指定コマンド又は時短作動指定コマンドの入力によって確率変動状態又は時間短縮状態を認識しているが、次のように変更しても良い。即ち、エンディング指定コマンドが、確率変動の場合と時間短縮の場合に分類されている場合には、エンディング指定コマンドの入力によって遊技状態を認識し、表示制御を開始するようにしても良い。この場合、エンディング指定コマンドが、確率変動状態又は時間短縮状態を指定する遊技状態指定信号となる。また、エンディング指定コマンドを、通常状態を指定する遊技状態指定信号としても良い。
【００６１】
・前記実施形態において、確率変動状態を示す文字情報ＩＮａ（「確変中」）や時間短縮状態を示す文字情報ＩＮｂ（「時短中」）の形態（内容、字体、大きさなど）は任意に変更しても良い。例えば、「確率変動」、「チャンスタイム」などでも良い。また、可変表示器２０において、遊技状態情報を表示する位置は、右上隅、左下隅、右下隅など任意に変更しても良い。
【００６２】
・前記実施形態では、時間短縮状態中、文字情報ＩＮｂ（「時短中」）を表示しているが、文字情報ＩＮｂに代えて又は加えて、時間短縮状態中における特図ゲームの残り回数（又は行われた回数）を表示するようにしても良い。前記回数は、特図演出パターン指定コマンドを入力する毎にサブＣＰＵ２８ａが計数し、当該計数値を表示させるように可変表示器２０を制御する。この場合、前記回数も前記実施形態と同様に表示状態と非表示状態を繰り返すように表示され、前記回数を示す情報が時間短縮状態を示す遊技状態情報となる。
【００６３】
・前記実施形態において、時間短縮状態の終了の契機となる特図ゲームの回数は、任意に変更しても良い。例えば、５０回でも良い。さらに、確率変動状態中又は時間短縮状態中に当り状態が付与された場合における開閉羽根２２の動作パターンは任意に変更しても良い。例えば、始動入賞口２３を２．０秒間、開放させる開閉動作を２回、又は始動入賞口２３を４．０秒間、開放させる開閉動作を１回としても良い。
【００６４】
・前記実施形態では、特図の変動が開始するとき及び特図の変動が終了するときに遊技状態情報を非表示状態としているが、何れかのときのみに遊技状態情報を非表示状態とするようにしても良い。
【００６５】
・前記実施形態では、特図の変動が開始するとき及び特図の変動が終了するときに遊技状態情報を非表示状態とし、その後、遊技状態情報が表示状態と非表示状態を繰り返すようにしているが、次のように変更しても良い。即ち、常には遊技状態情報を表示状態にしておき、特図の変動が開始するとき及び特図の変動が終了するときに遊技状態情報を一旦非表示状態とし、所定の時間経過後に表示状態とする。
【００６６】
・前記実施形態では、確率変動状態及び時間短縮状態の両方の遊技状態を報知しているが、何れか一方の遊技状態のみを報知するようにしても良い。
・前記実施形態において、遊技状態情報が非表示状態となる時間ａと表示状態となる時間ｂは、例えば、２秒、３秒など任意に変更しても良い。また、時間ａと時間ｂは、異なる時間を設定しても良い。
【００６７】
・前記実施形態において、サブＣＰＵ２８ａは、全特図停止コマンドを入力すると、遊技状態情報を非表示状態としているが、次のように変更しても良い。即ち、特図演出パターン指定コマンドを入力し、特図の変動が開始してから停止する迄の時間を計測し、当該時間が前記コマンドで指定された特図演出パターンに定められている演出時間に達したとき、遊技状態情報を非表示状態とするようにしても良い。
【００６８】
・前記実施形態は、液晶式の可変表示器２０に限らず、他の種類の可変表示器においても前記実施形態と同様に具体化することができる。例えば、ＣＲＴ（ブラウン管）式やプラズマディスプレイ式の可変表示器でも良い。また、特図ゲームと普図ゲームは、別々の表示器を用いて行っても良い。
【００６９】
・前記実施形態では、１〜８までの数字の特図が採用されているが、特図の種類及び形態は任意に変更しても良い。例えば、０〜９までの１０種類の数字でも良い。また、数字に代えて、文字図柄、アルファベット図柄、キャラクタ図柄などでも良い。さらに、大当りの組み合わせやはずれの組み合わせを形成する特図の列数は２列、４列、５列など任意に変更しても良い。また、可変表示器２０に特図が導出される順番は、左列→中列→右列の順など任意に変更しても良く、左列→中列→右列である場合には左特図と中特図によってリーチの組み合わせが形成される。また、普図についても、その種類及び形態は任意に変更しても良い。
【００７０】
・前記実施形態において、特図ゲーム中に行われるリーチ演出（複数の段階に発展するリーチ演出）が最初の段階から次の段階に発展した場合に、遊技状態情報を非表示状態とするようにしても良い。この場合、サブＣＰＵ２８ａは、演出時間を計測し、リーチ演出が次の段階に発展する時間に達すると、遊技状態情報を非表示状態とするように表示制御を行う。
【００７１】
次に、前記実施形態及び別例から把握できる技術的思想を以下に追記する。
（イ）図柄を変動させて表示する遊技演出の表示領域に当該遊技演出が行われる遊技状態を示す遊技状態情報を表示可能な表示手段と、前記表示手段を制御する表示制御手段とを備え、前記表示制御手段は、前記遊技状態情報が表示状態と非表示状態を繰り返すように前記表示手段を制御すると共に、前記遊技演出における図柄の変動が開始するとき及び図柄の変動が停止するときのうち少なくともいずれか一方のときには前記遊技状態情報を非表示状態とするように前記表示手段を制御する遊技機。
【００７２】
（ロ）図柄を変動させて表示する遊技演出の表示領域に当該遊技演出が行われる遊技状態を示す遊技状態情報を表示可能な表示手段と、前記表示手段を制御する表示制御手段とを備え、前記表示制御手段は、前記遊技状態情報が表示状態又は非表示状態となるように前記表示手段を制御可能であって、前記遊技演出における図柄の変動が開始するとき及び図柄の変動が停止するときのうち少なくともいずれか一方のときから所定時間の経過に伴って前記遊技状態情報を表示状態とした後、前記遊技状態情報が表示状態と非表示状態を繰り返すように前記表示手段を制御する遊技機。
【００７３】
（ハ）表示制御手段は、前記遊技状態情報が表示状態となる時間と非表示状態となる時間が同一時間となるように前記表示手段を制御する。
（ニ）前記表示制御手段は、大当り状態中、又は複数の段階に発展するリーチ演出において当該リーチ演出が最初の段階から次の段階に発展した場合、前記遊技状態情報を非表示状態とするように前記表示手段を制御する。
【００７４】
（ホ）図柄を変動させて表示する遊技演出の表示領域に当該遊技演出が行われる遊技状態を示す遊技状態情報を表示可能な表示手段と、前記表示手段を制御する表示制御手段と、前記遊技演出において図柄の変動が開始してから停止する迄の変動時間を計測する計測手段とを備え、前記表示制御手段は、前記遊技状態情報が表示状態と非表示状態を繰り返すように前記表示手段を制御すると共に、前記遊技演出における図柄の変動が開始するとき及び前記計測手段が所定の変動時間を計測したときには前記遊技状態情報を非表示状態とするように前記表示手段を制御する遊技機。
【００７５】
（ヘ）前記遊技状態情報は、現在の大当りの抽選確率に応じた遊技状態を示す確率状態情報、及び前記遊技演出を行うための契機となる始動入賞手段に対して遊技球を入賞し易くするか否かの抽選結果を導出する時間が短縮された遊技状態を示す時間短縮状態情報のうち少なくともいずれか一方の情報である。
【００７６】
（ト）確率状態情報は、大当りの抽選確率が通常確率の状態から高確率の状態に変動した遊技状態を示す確率変動状態情報である。
【図面の簡単な説明】
【００７７】
【図１】パチンコ遊技機の機表側を示す正面図。
【図２】パチンコ遊技機の制御構成を示すブロック図。
【図３】（ａ）は文字情報が非表示状態とされた可変表示器を示す正面図、（ｂ），（ｃ）は文字情報が表示状態とされた可変表示器を示す正面図。
【図４】表示開始処理を説明するフローチャート。
【図５】表示開始後処理を説明するフローチャート。
【図６】（ａ），（ｂ）は文字情報の表示態様が制御される様子を示すタイミングチャート。
【図７】（ａ）〜（ｄ）は確率変動状態で表示演出が行われる態様を示す模式図。
【図８】（ａ）〜（ｄ）は確率変動状態で表示演出が行われる態様を示す模式図。
【符号の説明】
【００７８】
Ｈ…表示領域、Ｈ１…特別図柄表示領域、Ｈ２…普通図柄表示領域、ＩＮａ…文字情報（遊技状態情報）、ＩＮｂ…文字情報（遊技状態情報）、１０…パチンコ遊技機（遊技機）、２０…表示装置（表示手段）、２８…表示制御基板（表示制御手段）。
【図１】
2008012352.tif 000003
【図２】
2008012352.tif 000004
【図３】
2008012352.tif 000005
【図４】
2008012352.tif 000006
【図５】
2008012352.tif 000007
【図６】
2008012352.tif 000008
【図７】
2008012352.tif 000009
【図８】
2008012352.tif 000010